(57)【要約】【課題】音声出力装置からの出力と雑音とを正確に区別でき、周囲の雑音に応じて適切な音量を出すことができる自動音量制御出力装置を提供する。【解決手段】入力音声信号のレベルが一定期間に一定量以下かどうか監視して無音状態信号を出力する無音状態検知部１０５を設ける。入出力切替回路１０１は、無音状態信号を受信している期間に音声出力装置１０４を集音装置に切り替える。レベル演算部１０２は、無音状態信号を受信している期間内で音声出力装置１０４が集音した雑音に応じて演算した音量調整量をレベル検知信号として出力する。スピーカーアンプ率可変部１０３は、レベル検知信号を用いて入力音声信号の音量を調整し、音声出力装置１０４へ出力音声信号を供給する。音声出力装置１０４は、切替信号を受信していない期間では、スピーカーアンプ率可変部１０３から受けた出力音声信号を出音する。【選択図】図１
2010252255.tif 000002
【特許請求の範囲】
【請求項１】
周囲の雑音を集音する集音装置と、
音声信号入力がないことを検知し無音状態信号を出力する無音状態検知部と、
前記無音状態検知部から前記無音状態信号を受信している期間内で前記集音装置が集音した雑音に応じて演算した音量調整量をレベル検知信号として出力するレベル演算部と、
前記レベル演算部から出力されるレベル検知信号と入力音声信号とを入力し、前記レベル検知信号を用いて前記入力音声信号の音量を調整し、出力音声信号を供給するスピーカーアンプ率可変部と、
前記スピーカーアンプ率可変部から受けた出力音声信号を出音する音声出力装置とを備えたことを特徴とする自動音量制御出力装置。
【請求項２】
請求項１に記載の自動音量制御出力装置において、
前記無音状態検知部は、前記入力音声信号のレベルが一定期間に一定量以下かどうかを検知し前記無音状態信号を出力することを特徴とする自動音量制御出力装置。
【請求項３】
請求項１に記載の自動音量制御出力装置において、
前記無音状態検知部は、前記入力音声信号がミュート状態かどうかを検知するミュート検知部からなることを特徴とする自動音量制御出力装置。
【請求項４】
周囲の雑音を集音する集音装置と、
入力されたデジタルストリーム内の情報を読み込み画面の切り替わりを検知し画面切り替わり信号を出力する画面切り替わり検知部と、
前記画面切り替わり検知部から前記画面切り替わり信号を受信している期間内で前記集音装置が集音した雑音に応じて演算した音量調整量をレベル検知信号として出力するレベル演算部と、
前記レベル演算部から出力されるレベル検知信号と入力音声信号とを入力し、前記レベル検知信号を用いて前記入力音声信号の音量を調整し、出力音声信号を供給するスピーカーアンプ率可変部と、
前記スピーカーアンプ率可変部から受けた出力音声信号を出音する音声出力装置とを備えたことを特徴とする自動音量制御出力装置。
【請求項５】
請求項１〜４のいずれか１項に記載の自動音量制御出力装置において、
前記音声出力装置が音声出力していない期間内で、前記音声出力装置が前記集音装置として動作するように切り替える切替信号を出力する入出力切替回路を更に備えたことを特徴とする自動音量制御出力装置。
【請求項６】
請求項１〜４のいずれか１項に記載の自動音量制御出力装置において、
前記スピーカーアンプ率可変部により自動調整された前記音声出力装置からの出力をユーザーが再調整した結果を記憶し、前記レベル演算部における次回のレベル演算に前記再調整結果をフィードバックするフィードバック部を更に備えたことを特徴とする自動音量制御出力装置。
【発明の詳細な説明】
【技術分野】
【０００１】
本発明は、無音状態において周囲の雑音を集音し、その雑音レベルに応じて音声出力装置からの出力を調整する自動音量制御出力装置に関するものである。
【背景技術】
【０００２】
従来の自動音量制御出力装置において、集音装置を用いて集音した周囲音から出力したい目的音と目的音の試聴に不必要な雑音とを区別する雑音検知回路を用いて雑音を検知し、雑音レベルに応じて目的音の出力音量を調整する技術が提案されている（例えば、特許文献１参照）。
【０００３】
しかし、集音した周囲音が目的音と雑音とを含むため、正確に目的音と雑音とを区別することは難しく、またその精度を上げるためには雑音検知回路が複雑になり回路規模も増大するという課題が残されている。
【０００４】
そこで、回路規模を大きくせず雑音を検知する方法として、目的音が出力されていない状態（無音状態）を定義し、無音状態のときに周囲音を集音する技術が提案されている。
【０００５】
特許文献２では、目的音集音用マイクと雑音集音用マイクとを用いて、２つの音声の差分が閾値を越えた状態を無音状態と定義し雑音を集音している。
【０００６】
特許文献３では、携帯電話機にてマイクへの入力が閾値以上なら通話中、閾値より小さければ無音状態と定義し、無音状態のときに雑音を集音している。
【０００７】
特許文献４では、ハンズフリー電話機にてマイクで集音した周囲音に人の音声帯域０．２〜１．０ｋＨｚ以外の音声しかなければ無音状態と定義し、そのとき集音された周囲音を雑音として検出している。
【０００８】
特許文献５では、電話機にて入力信号の周波数領域が閾値以上なら有音、閾値より小さければ無音と定義している。
【先行技術文献】
【特許文献】
【０００９】
【特許文献１】特開平１１−２６１３５５号公報
【特許文献２】特開平５−１１９７９４号公報
【特許文献３】特開平８−１６３２２７号公報
【特許文献４】特開平８−３２１８７２号公報
【特許文献５】特開平７−２５４８２２号公報
【発明の概要】
【発明が解決しようとする課題】
【００１０】
しかしながら、従来の自動音量制御出力装置においては、目的音と雑音との音量や周波数が近い場合には、無音状態を検知できず正確に目的音と雑音とを区別できないという課題があった。
【００１１】
本発明の目的は、音声出力装置からの出力と雑音とを正確に区別でき、周囲の雑音に応じて適切な音量を出すことができる自動音量制御出力装置を提供することにある。
【課題を解決するための手段】
【００１２】
第１の発明の自動音量制御出力装置は、周囲の雑音を集音する集音装置と、音声信号入力がないことを検知し無音状態信号を出力する無音状態検知部と、前記無音状態検知部から前記無音状態信号を受信している期間内で前記集音装置が集音した雑音に応じて演算した音量調整量をレベル検知信号として出力するレベル演算部と、前記レベル演算部から出力されるレベル検知信号と入力音声信号とを入力し、前記レベル検知信号を用いて前記入力音声信号の音量を調整し、出力音声信号を供給するスピーカーアンプ率可変部と、前記スピーカーアンプ率可変部から受けた出力音声信号を出音する音声出力装置とを備えた自動音量制御出力装置である。かかる構成により、複雑な処理や回路が必要になる雑音検知回路がなくても回路構成がシンプルで安価に構成でき、音声出力装置からの出力と雑音とを正確に区別できる。
【００１３】
また、第２の発明によれば、第１の発明に対して、前記無音状態検知部は、前記入力音声信号のレベルが一定期間に一定量以下かどうかを検知し前記無音状態信号を出力することを特徴とする。
【００１４】
また、第３の発明によれば、第１の発明に対して、前記無音状態検知部は、前記入力音声信号がミュート状態かどうかを検知するミュート検知部からなることを特徴とする。
【００１５】
また、第４の発明の自動音量制御出力装置は、周囲の雑音を集音する集音装置と、入力されたデジタルストリーム内の情報を読み込み画面の切り替わりを検知し画面切り替わり信号を出力する画面切り替わり検知部と、前記画面切り替わり検知部から前記画面切り替わり信号を受信している期間内で前記集音装置が集音した雑音に応じて演算した音量調整量をレベル検知信号として出力するレベル演算部と、前記レベル演算部から出力されるレベル検知信号と入力音声信号とを入力し、前記レベル検知信号を用いて前記入力音声信号の音量を調整し、出力音声信号を供給するスピーカーアンプ率可変部と、前記スピーカーアンプ率可変部から受けた出力音声信号を出音する音声出力装置とを備えた自動音量制御出力装置である。かかる構成により、音声出力装置からの出力と雑音とを正確に区別できる。
【００１６】
また、第５の発明の自動音量制御出力装置は、第１〜第４の発明に対して、前記音声出力装置が音声出力していない期間内で、前記音声出力装置が前記集音装置として動作するように切り替える切替信号を出力する入出力切替回路を更に備えたことを特徴とする。かかる構成により、音声出力装置と集音装置とが兼用できるので、装置規模が小さくなる。
【００１７】
また、第６の発明の自動音量制御出力装置は、第１〜第４の発明に対して、前記スピーカーアンプ率可変部により自動調整された前記音声出力装置からの出力をユーザーが再調整した結果を記憶し、前記レベル演算部における次回のレベル演算に前記再調整結果をフィードバックするフィードバック部を更に備えたことを特徴とする。かかる構成により、自動で調整される音量の調整量を、ユーザー好みの調整量に設定できる。
【発明の効果】
【００１８】
本発明による自動音量制御出力装置によれば、音声出力装置からの出力と雑音とを正確に区別でき、周囲の雑音に応じて適切な音量を出すことができるという効果を有する。
【図面の簡単な説明】
【００１９】
【図１】実施の形態１における自動音量制御出力装置のブロック図である。
【図２】実施の形態１における無音状態検知部の動作を示すフローチャートである。
【図３】実施の形態１における自動音量制御出力装置の全体動作を示すフローチャートである。
【図４】実施の形態２における自動音量制御出力装置のブロック図である。
【図５】実施の形態２におけるミュート検知部の動作を示すフローチャートである。
【図６】実施の形態２における自動音量制御出力装置の全体動作を示すフローチャートである。
【図７】実施の形態３における自動音量制御出力装置のブロック図である。
【図８】実施の形態３における画面切り替わり検知部の動作を示すフローチャートである。
【図９】実施の形態３における自動音量制御出力装置の全体動作を示すフローチャートである。
【発明を実施するための形態】
【００２０】
以下、自動音量制御出力装置の実施形態について図面を参照して説明する。なお、実施の形態において同じ符号を付した構成要素は同様の動作を行うので、再度の説明を省略する場合がある。
【００２１】
《実施の形態１》
本実施の形態では、入力音声信号レベルが一定期間に一定量以下である期間に雑音を集音し、その雑音レベルに応じて音声出力装置からの出力を調整し、また音声出力装置を集音装置として使用する自動音量制御出力装置について説明する。
【００２２】
図１は、本実施の形態における自動音量制御出力装置１のブロック図である。自動音量制御出力装置１は、入出力切替回路１０１、レベル演算部１０２、スピーカーアンプ率可変部１０３、音声出力装置１０４、無音状態検知部１０５を具備する。
【００２３】
無音状態検知部１０５は、入力音声信号のレベルが一定期間に一定量以下かどうか監視し、無音状態信号を出力する。この無音状態検知部１０５は、ＭＰＵやメモリ等から実現され得る。無音状態検知部１０５の処理手順は、通常、ソフトウェアで実現され、当該ソフトウェアはＲＯＭ等の記録媒体に記録されている。ただし、ハードウェア（専用回路）で実現してもよい。
【００２４】
入出力切替回路１０１は、無音状態信号を受信している期間に音声出力装置１０４を集音装置に切り替える。
【００２５】
レベル演算部１０２は、無音状態信号を受信している期間内で音声出力装置１０４が集音した雑音に応じて演算した音量調整量をレベル検知信号として出力する。このレベル演算部１０２は、ＭＰＵやメモリ等から実現され得る。レベル演算部１０２の処理手順は、通常、ソフトウェアで実現され、当該ソフトウェアはＲＯＭ等の記録媒体に記録されている。ただし、ハードウェア（専用回路）で実現してもよい。
【００２６】
スピーカーアンプ率可変部１０３は、レベル演算部１０２から出力されるレベル検知信号と入力音声信号とを入力し、レベル検知信号を用いて入力音声信号の音量を調整し、出力音声信号を音声出力装置１０４へ供給する。このスピーカーアンプ率可変部１０３は、ＭＰＵやメモリ等から実現され得る。スピーカーアンプ率可変部１０３の処理手順は、通常、ソフトウェアで実現され、当該ソフトウェアはＲＯＭ等の記録媒体に記録されている。ただし、ハードウェア（専用回路）で実現してもよい。
【００２７】
音声出力装置１０４は、切替信号を受信している期間に集音装置として雑音を集音する。切替信号を受信していない期間では、音声出力装置１０４は、スピーカーアンプ率可変部１０３から受けた出力音声信号を出音する。
【００２８】
次に、自動音量制御出力装置１の動作について図２及び図３のフローチャートを用いて説明する。
【００２９】
図２は、図１中の無音状態検知部１０５の動作を示すフローチャートである。図２によれば、Ｓ１１にて、入力音声信号が一定期間に一定音量以下（無音状態）かどうかを検知する。検知された場合は、Ｓ１２にて無音状態検知部１０５から無音状態信号を出力する。検知されなかった場合は、Ｓ１３にて無音状態信号の出力を停止する。
【００３０】
図３は、図１の自動音量制御出力装置１の全体動作を示すフローチャートである。図３によれば、Ｓ１４にて、入出力切替回路１０１とレベル演算部１０２とに無音状態信号が入力されているかどうかを検知する。入出力切替回路１０１とレベル演算部１０２とに無音状態信号が入力されていない場合は、Ｓ１８にて入出力切替回路１０１は切替信号の出力を停止し、Ｓ１９にて音声出力装置１０４は出力音声信号を出音する。
【００３１】
入出力切替回路１０１とレベル演算部１０２とに無音状態信号が入力されている場合は、Ｓ１５にて入出力切替回路１０１は切替信号を出力し、切替信号が入力された音声出力装置１０４は集音装置として動作し雑音を集音する。更にＳ１６にて、レベル演算部１０２は集音した雑音に応じて音量調整量を演算してレベル検知信号を出力する。更にＳ１７にて、スピーカーアンプ率可変部１０３はレベル検知信号に応じて入力音声信号の音量を調整し、出力音声信号を音声出力装置１０４へ供給する。
【００３２】
以上、本実施の形態によれば、複雑な処理や回路が必要になる雑音検知回路がなくても回路構成がシンプルで安価に構成でき、音声出力装置１０４からの出力と雑音とを正確に区別できる。
【００３３】
《実施の形態２》
本実施の形態では、入力音声信号レベルがミュート状態である期間に雑音を集音し、その雑音レベルに応じて音声出力装置からの出力を調整し、また自動調整した結果にユーザー自身の調整結果を反映する自動音量制御出力装置について説明する。
【００３４】
図４は、本実施の形態における自動音量制御出力装置２のブロック図である。自動音量制御出力装置２は、レベル演算部１０２、スピーカーアンプ率可変部１０３、音声出力装置１０４、集音装置１０６、ミュート検知部１０７、フィードバック部１０８を具備する。
【００３５】
集音装置１０６は、雑音を集音する。ただし、図１の実施形態のように、音声出力装置１０４を集音装置１０６として兼用することも可能である。
【００３６】
ミュート検知部１０７は、入力音声信号がミュートされたとき、無音状態信号を出力する。このミュート検知部１０７は、ＭＰＵやメモリ等から実現され得る。ミュート検知部１０７の処理手順は、通常、ソフトウェアで実現され、当該ソフトウェアはＲＯＭ等の記録媒体に記録されている。ただし、ハードウェア（専用回路）で実現してもよい。
【００３７】
スピーカーアンプ率可変部１０３は、レベル演算部１０２から出力されるレベル検知信号と入力音声信号とを入力し、レベル検知信号を用いて入力音声信号の音量を調整し、出力音声信号を音声出力装置１０４へ供給する。このスピーカーアンプ率可変部１０３は、ＭＰＵやメモリ等から実現され得る。スピーカーアンプ率可変部１０３の処理手順は、通常、ソフトウェアで実現され、当該ソフトウェアはＲＯＭ等の記録媒体に記録されている。ただし、ハードウェア（専用回路）で実現してもよい。
【００３８】
音声出力装置１０４は、スピーカーアンプ率可変部１０３から受けた出力音声信号を出音する。
【００３９】
フィードバック部１０８は、前回スピーカーアンプ率可変部１０３により自動調整された音声出力装置１０４からの出力を、ユーザーが再調整した結果として記憶して、レベル演算部１０２に再調整結果をフィードバックする。このフィードバック部１０８は、ＭＰＵやメモリ等から実現され得る。フィードバック部１０８の処理手順は、通常、ソフトウェアで実現され、当該ソフトウェアはＲＯＭ等の記録媒体に記録されている。ただし、ハードウェア（専用回路）で実現してもよい。
【００４０】
レベル演算部１０２は、無音状態信号を受信している期間内で集音装置１０６が集音した雑音に応じて演算した結果と、フィードバック部１０８からの再調整結果とを元に音量調整量をレベル検知信号として出力する。このレベル演算部１０２は、ＭＰＵやメモリ等から実現され得る。レベル演算部１０２の処理手順は、通常、ソフトウェアで実現され、当該ソフトウェアはＲＯＭ等の記録媒体に記録されている。ただし、ハードウェア（専用回路）で実現してもよい。
【００４１】
次に、自動音量制御出力装置２の動作について図５及び図６のフローチャートを用いて説明する。
【００４２】
図５は、図４中のミュート検知部１０７の動作を示すフローチャートである。図５によれば、Ｓ２１にて、入力音声信号がミュート状態（無音状態）かどうかを検知する。検知された場合は、Ｓ２２にてミュート検知部１０７から無音状態信号を出力する。検知されなかった場合は、Ｓ２３にて無音状態信号の出力を停止する。
【００４３】
図６は、図４の自動音量制御出力装置２の全体動作を示すフローチャートである。図６によれば、Ｓ２４にて、レベル演算部１０２に無音状態信号が入力されているかどうかを検知する。レベル演算部１０２に無音状態信号が入力されていない場合は、Ｓ２７にて音声出力装置１０４は出力音声信号を出音する。
【００４４】
レベル演算部１０２に無音状態信号が入力されている場合は、Ｓ２５にて集音装置１０６より集音した雑音と、フィードバック部１０８より出力される再調整結果（以前にスピーカーアンプ率可変部１０３により自動調整された音声出力装置１０４からの出力をユーザーが再調整した結果）とを元に音量調整量を演算し、レベル検知信号を出力する。更にＳ２６にて、スピーカーアンプ率可変部１０３はレベル検知信号に応じて入力音声信号の音量を調整し、出力音声信号を音声出力装置１０４へ供給する。
【００４５】
以上、本実施の形態によれば、複雑な処理や回路が必要になる雑音検知回路がなくても回路構成がシンプルで安価に構成でき、音声出力装置１０４からの出力と雑音とを正確に区別できる。
【００４６】
なお、ミュート検知部１０７は入力音声信号のミュート状態だけでなく、出力音声信号のミュート状態を検知してもよい。
【００４７】
《実施の形態３》
本実施の形態では、ＴＶ受像機等にてデジタルストリーム内の情報（セクション情報）を利用し、画面の切り替わり期間に雑音を集音する自動音量制御出力装置について説明する。
【００４８】
図７は、本実施の形態における自動音量制御出力装置３のブロック図である。自動音量制御出力装置３は、レベル演算部１０２、スピーカーアンプ率可変部１０３、音声出力装置１０４、集音装置１０６、画面切り替わり検知部１０９を具備する。
【００４９】
集音装置１０６は、雑音を集音する。ただし、図１の実施形態のように、音声出力装置１０４を集音装置１０６として兼用することも可能である。
【００５０】
画面切り替わり検知部１０９は、デジタルストリーム内のＬＩＴ（Local event Information Table）から画面の切り替わりを検知し、画面切り替わり信号を出力する。この画面切り替わり検知部１０９は、ＭＰＵやメモリ等から実現され得る。画面切り替わり検知部１０９の処理手順は、通常、ソフトウェアで実現され、当該ソフトウェアはＲＯＭ等の記録媒体に記録されている。ただし、ハードウェア（専用回路）で実現してもよい。
【００５１】
レベル演算部１０２は、画面切り替わり信号を受信している期間内で集音装置１０６が集音した雑音に応じて演算して音量調整量をレベル検知信号として出力する。このレベル演算部１０２は、ＭＰＵやメモリ等から実現され得る。レベル演算部１０２の処理手順は、通常、ソフトウェアで実現され、当該ソフトウェアはＲＯＭ等の記録媒体に記録されている。ただし、ハードウェア（専用回路）で実現してもよい。
【００５２】
スピーカーアンプ率可変部１０３は、レベル演算部１０２から出力されるレベル検知信号と入力音声信号とを入力し、レベル検知信号を用いて入力音声信号の音量を調整し、出力音声信号を音声出力装置１０４へ供給する。このスピーカーアンプ率可変部１０３は、ＭＰＵやメモリ等から実現され得る。スピーカーアンプ率可変部１０３の処理手順は、通常、ソフトウェアで実現され、当該ソフトウェアはＲＯＭ等の記録媒体に記録されている。ただし、ハードウェア（専用回路）で実現してもよい。
【００５３】
音声出力装置１０４は、スピーカーアンプ率可変部１０３から受けた出力音声信号を出音する。
【００５４】
次に、自動音量制御出力装置３の動作について図８及び図９のフローチャートを用いて説明する。
【００５５】
図８は、図７中の画面切り替わり検知部１０９の動作を示すフローチャートである。図８によれば、Ｓ３１にて、画面切り替わり検知部１０９はデジタルストリーム内のセクション情報（ＬＩＴ）から画面の切り替わりを検知する。検知された場合は、Ｓ３２にて画面切り替わり信号を出力する。検知されなかった場合は、Ｓ３３にて画面切り替わり信号の出力を停止する。
【００５６】
図９は、図７の自動音量制御出力装置３の全体動作を示すフローチャートである。図９によれば、Ｓ３４にて、レベル演算部１０２に画面切り替わり信号が入力されているかどうかを検知する。レベル演算部１０２に画面切り替わり信号が入力されていない場合は、Ｓ３７にて音声出力装置１０４は出力音声信号を出音する。
【００５７】
レベル演算部１０２に画面切り替わり信号が入力されている場合は、Ｓ３５にて集音装置１０６より集音した雑音に応じて音量調整量を演算し、レベル検知信号を出力する。更にＳ３６にて、スピーカーアンプ率可変部１０３はレベル検知信号に応じて入力音声信号の音量を調整し、出力音声信号を音声出力装置１０４へ供給する。
【００５８】
以上、本実施の形態によれば、複雑な処理や回路が必要になる雑音検知回路がなくても回路構成がシンプルで安価に構成でき、音声出力装置１０４からの出力と雑音とを正確に区別できる。
【００５９】
なお、ＥＩＴ（Event Information Table）による番組の切り替わり検知や、チャプター情報（録画された映像に打たれるシーンの区切り目）によるシーンの区切り目検知でも、ＬＩＴの場合と同様に画面の切り替わりを検知できる。
【００６０】
さて、本発明は、以上の各実施の形態に限定されることなく、種々の変更が可能であり、それらも本発明の範囲内に包含されるものであることは言うまでもない。例えば、図１中の入出力切替回路１０１を図４の自動音量制御出力装置２や図７の自動音量制御出力装置３に設けたり、図４中のフィードバック部１０８を図１の自動音量制御出力装置１や図７の自動音量制御出力装置３に設けたりすることも可能である。
【産業上の利用可能性】
【００６１】
以上のように、本発明に係る自動音量制御出力装置は、複雑な処理や回路が必要になる雑音検知回路がなくても回路構成がシンプルで安価に構成でき、音声出力装置からの出力と雑音とを正確に区別できるという効果を有し、自動音量制御出力装置として有用である。
【符号の説明】
【００６２】
１，２，３  自動音量制御出力装置
１０１  入出力切替回路
１０２  レベル演算部
１０３  スピーカーアンプ率可変部
１０４  音声出力装置
１０５  無音状態検知部
１０６  集音装置
１０７  ミュート検知部
１０８  フィードバック部
１０９  画面切り替わり検知部
【図１】
2010252255.tif 000003
【図２】
2010252255.tif 000004
【図３】
2010252255.tif 000005
【図４】
2010252255.tif 000006
【図５】
2010252255.tif 000007
【図６】
2010252255.tif 000008
【図７】
2010252255.tif 000009
【図８】
2010252255.tif 000010
【図９】
2010252255.tif 000011